【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
ユーザ機器、すなわちＵＥにおいて、前記ＵＥにおけるキャリアアグリゲーションに利用可能な複数の周波数帯域を識別することであって、前記複数の周波数帯域は、Ｋ個のキャリアのための複数の利用可能なキャリア帯域幅組合せに関連する、複数の周波数帯域を識別することと、
前記ＵＥにおいて、前記ＵＥによってサポートされるキャリア帯域幅組合せの少なくとも１つのセットを識別することであって、前記キャリア帯域幅組合せの少なくとも１つのセットは、前記複数の利用可能なキャリア帯域幅組合せのサブセットであり、各キャリア帯域幅組合せが前記Ｋ個のキャリアの各々のための特定のキャリア帯域幅を含む、キャリア帯域幅組合せの少なくとも１つのセットを識別することと、
前記ＵＥによってサポートされる前記キャリア帯域幅組合せの少なくとも１つのセットを示すシグナリングを、前記ＵＥから基地局に送ることと
を備える、ワイヤレス通信のための方法。
【請求項２】
前記複数の利用可能なキャリア帯域幅組合せは、前記Ｋ個のキャリアのためにあらかじめ定義されている、請求項１に記載の方法。
【請求項３】
前記シグナリングが、前記複数の利用可能なキャリア帯域幅組合せのための複数のビットを有するビットマップを備える、請求項１に記載の方法。
【請求項４】
前記ビットマップの各ビットが、前記複数の利用可能なキャリア帯域幅組合せの異なるサブセットに関連する、請求項３に記載の方法。
【請求項５】
前記シグナリングが、前記ＵＥによってサポートされる前記複数の利用可能なキャリア帯域幅組合せの各々のサブセットのインデックスを備える、請求項１に記載の方法。
【請求項６】
前記複数の利用可能なキャリア帯域幅組合せの各々のサブセットが前記Ｋ個のキャリアのためにあらかじめ定義される、請求項１に記載の方法。
【請求項７】
前記シグナリングが、前記複数の周波数帯域のための、前記ＵＥによってサポートされる総帯域幅を示すか、または、前記シグナリングが、前記複数の周波数帯域のための、前記ＵＥによってサポートされる最大帯域幅を示す、請求項１に記載の方法。
【請求項８】
前記複数のキャリア帯域幅組合せの各々のサブセットが、前記総帯域幅以下のアグリゲート帯域幅に関連する、請求項７に記載の方法。
【請求項９】
前記シグナリングが前記ＵＥのＵＥカテゴリーを備える、請求項１に記載の方法。
【請求項１０】
前記複数のキャリアが、帯域間キャリアアグリゲーションでは少なくとも２つの帯域中にあるか、または帯域内キャリアアグリゲーションでは単一の帯域中にある、請求項１に記載の方法。
【請求項１１】
前記ＵＥによってサポートされる前記キャリア帯域幅組合せの少なくとも１つのセットから選択されたキャリア帯域幅組合せを判断することと、
前記選択されたキャリア帯域幅組合せに基づいて前記複数の周波数帯域上で通信することと
をさらに備える、請求項１に記載の方法。
【請求項１２】
ワイヤレス通信のためのユーザ機器、すなわちＵＥであって、
前記ＵＥにおけるキャリアアグリゲーションに利用可能な複数の周波数帯域を識別するための手段であって、前記複数の周波数帯域は、Ｋ個のキャリアのための複数の利用可能なキャリア帯域幅組合せに関連する、複数の周波数帯域を識別するための手段と、
前記ＵＥによってサポートされるキャリア帯域幅組合せの少なくとも１つのセットを識別するための手段であって、前記キャリア帯域幅組合せの少なくとも１つのセットは、前記複数の利用可能なキャリア帯域幅組合せのサブセットであり、各キャリア帯域幅組合せが前記Ｋ個のキャリアの各々のための特定のキャリア帯域幅を含む、キャリア帯域幅組合せの少なくとも１つのセットを識別するための手段と、
前記ＵＥによってサポートされる前記キャリア帯域幅組合せの少なくとも１つのセットを示すシグナリングを送るための手段と
を備える、ワイヤレス通信のためのユーザ機器。
【請求項１３】
基地局において、ユーザ機器、すなわちＵＥにおけるキャリアアグリゲーションに利用可能な複数の周波数帯域を識別することであって、前記複数の周波数帯域は、Ｋ個のキャリアのための複数の利用可能なキャリア帯域幅組合せに関連する、複数の周波数帯域を識別することと、
前記基地局において、前記ＵＥから、前記ＵＥによってサポートされるキャリア帯域幅組合せの少なくとも１つのセットを示すシグナリングを受信することであって、前記キャリア帯域幅組合せの少なくとも１つのセットは、前記複数の利用可能なキャリア帯域幅組合せのサブセットであり、各キャリア帯域幅組合せが前記Ｋ個のキャリアの各々のための特定のキャリア帯域幅を含む、受信することと、
前記ＵＥによってサポートされる前記キャリア帯域幅組合せの少なくとも１つのセットから選択されたキャリア帯域幅組合せに基づいて前記複数の周波数帯域上で前記基地局から前記ＵＥと通信することと
を備える、ワイヤレス通信のための方法。
【請求項１４】
ワイヤレス通信のための基地局であって、
ユーザ機器、すなわちＵＥにおいて、キャリアアグリゲーションに利用可能な複数の周波数帯域を識別するための手段であって、前記複数の周波数帯域は、Ｋ個のキャリアのための複数の利用可能なキャリア帯域幅組合せに関連する、複数の周波数帯域を識別するための手段と、
前記ＵＥから、前記ＵＥによってサポートされるキャリア帯域幅組合せの少なくとも１つのセットを示すシグナリングを受信するための手段であって、前記キャリア帯域幅組合せの少なくとも１つのセットは、前記複数の利用可能なキャリア帯域幅組合せのサブセットであり、各キャリア帯域幅組合せが前記Ｋ個のキャリアの各々のための特定のキャリア帯域幅を含む、受信するための手段と、
前記ＵＥによってサポートされる前記キャリア帯域幅組合せの少なくとも１つのセットから選択されたキャリア帯域幅組合せに基づいて前記複数の周波数帯域上で前記ＵＥと通信するための手段と
を備える、ワイヤレス通信のための基地局。
【請求項１５】
請求項１乃至１１および／または１３のいずれか１に記載の方法をコンピュータに行わせるためのコードを備えるコンピュータ可読媒体。
【手続補正２】
【補正対象書類名】明細書
【補正対象項目名】００６７
【補正方法】変更
【補正の内容】
【００６７】
[0071]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］  キャリアアグリゲーションのための、ユーザ機器（ＵＥ）のために構成された複数のキャリアを識別することと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することと、
前記複数のキャリアのための、前記ＵＥによってサポートされる前記少なくとも１つのキャリア帯域幅組合せを示すシグナリングを送ることと
を備える、ワイヤレス通信のための方法。
［Ｃ２］  前記複数のキャリアが少なくとも１つの帯域中にあり、各帯域が、前記帯域中のキャリアのための可能なキャリア帯域幅のセットに関連する、Ｃ１に記載の方法。
［Ｃ３］  複数の可能なキャリア帯域幅組合せが、前記少なくとも１つの帯域の各々のための可能なキャリア帯域幅の前記セットに基づいて判断され、前記ＵＥによってサポートされる前記少なくとも１つのキャリア帯域幅組合せが、前記複数の可能なキャリア帯域幅組合せのサブセットである、Ｃ２に記載の方法。
［Ｃ４］  前記ＵＥによってサポートされる前記少なくとも１つのキャリア帯域幅組合せが、前記少なくとも１つの帯域または前記複数のキャリアのためにあらかじめ定義された複数の利用可能なキャリア帯域幅組合せのサブセットである、Ｃ２に記載の方法。
［Ｃ５］  前記シグナリングが、前記少なくとも１つの帯域の各々のための、前記ＵＥによってサポートされる最大帯域幅を示す、Ｃ２に記載の方法。
［Ｃ６］  前記シグナリングが、前記複数のキャリアのための複数の利用可能なキャリア帯域幅組合せのための複数のビットのビットマップを備える、Ｃ１に記載の方法。
［Ｃ７］  前記ビットマップの各ビットが、前記複数のキャリアのための異なるキャリア帯域幅組合せに関連する、Ｃ６に記載の方法。
［Ｃ８］  前記ビットマップの各ビットが、前記複数のキャリアのための少なくとも１つのキャリア帯域幅組合せの異なるセットに関連する、Ｃ６に記載の方法。
［Ｃ９］  前記シグナリングが、前記複数のキャリアのための、前記ＵＥによってサポートされる前記少なくとも１つのキャリア帯域幅組合せの各々のインデックスを備える、Ｃ１に記載の方法。
［Ｃ１０］  キャリア帯域幅組合せの複数のセットが前記複数のキャリアのためにあらかじめ定義され、キャリア帯域幅組合せの前記複数のセットの各々が前記複数のキャリアのための少なくとも１つのキャリア帯域幅組合せを含み、前記シグナリングがキャリア帯域幅組合せの前記複数のセットのうちの少なくとも１つを示す、Ｃ１に記載の方法。
［Ｃ１１］  前記シグナリングが、前記複数のキャリアのための、前記ＵＥによってサポートされる総帯域幅を示す、Ｃ１に記載の方法。
［Ｃ１２］  前記少なくとも１つのキャリア帯域幅組合せの各々が、前記総帯域幅以下の、前記複数のキャリアのためのアグリゲート帯域幅に関連する、Ｃ１１に記載の方法。
［Ｃ１３］  前記シグナリングが、前記複数のキャリアの各々のための、前記ＵＥによってサポートされる最大帯域幅を示す、Ｃ１に記載の方法。
［Ｃ１４］  前記シグナリングが前記ＵＥのＵＥカテゴリーを備える、Ｃ１に記載の方法。
［Ｃ１５］  前記ＵＥによってサポートされる少なくとも１つの帯域を示す追加のシグナリングを送ることであって、前記複数のキャリアが前記少なくとも１つの帯域中にある、送ること
をさらに備える、Ｃ１に記載の方法。
［Ｃ１６］  前記複数のキャリアが、帯域間キャリアアグリゲーションでは少なくとも２つの帯域中にあるか、または帯域内キャリアアグリゲーションでは単一の帯域中にある、Ｃ１に記載の方法。
［Ｃ１７］  前記複数のキャリアのための、前記ＵＥによってサポートされる前記少なくとも１つのキャリア帯域幅組合せから選択されたキャリア帯域幅組合せを判断することと、
前記選択されたキャリア帯域幅組合せに基づいて前記複数のキャリア上で通信することと
をさらに備える、Ｃ１に記載の方法。
［Ｃ１８］  キャリアアグリゲーションのための、ユーザ機器（ＵＥ）のために構成された複数のキャリアを識別することと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することと、
前記複数のキャリアのための、前記ＵＥによってサポートされる前記少なくとも１つのキャリア帯域幅組合せを示すシグナリングを送ることと
を行うように構成された少なくとも１つのプロセッサと、
前記少なくとも１つのプロセッサに結合されたメモリと
を備える、ワイヤレス通信のための装置。
［Ｃ１９］  前記少なくとも１つのプロセッサが、前記ＵＥによってサポートされる少なくとも１つの帯域を示す追加のシグナリングを送るように構成され、前記複数のキャリアが前記少なくとも１つの帯域中にある、Ｃ１８に記載の装置。
［Ｃ２０］  前記シグナリングが、前記複数のキャリアのための複数の利用可能なキャリア帯域幅組合せのための複数のビットのビットマップを備える、Ｃ１８に記載の装置。
［Ｃ２１］  前記ビットマップの各ビットが、前記複数のキャリアのための異なるキャリア帯域幅組合せに関連する、Ｃ２０に記載の装置。
［Ｃ２２］  前記少なくとも１つのプロセッサが、
前記複数のキャリアのための、前記ＵＥによってサポートされる前記少なくとも１つのキャリア帯域幅組合せから選択されたキャリア帯域幅組合せを判断することと、
前記選択されたキャリア帯域幅組合せに基づいて前記複数のキャリア上で通信することと
を行うように構成された、Ｃ１８に記載の装置。
［Ｃ２３］  キャリアアグリゲーションのための、ユーザ機器（ＵＥ）のために構成された複数のキャリアを識別するための手段と、
前記複数のキャリアのための、前記ＵＥによってサポートされる少なくとも１つのキャリア帯域幅組合せを識別するための手段であって、各キャリア帯域幅組合せが前記複数のキャリアの各々のための特定のキャリア帯域幅を含む、少なくとも１つのキャリア帯域幅組合せを識別するための手段と、
前記複数のキャリアのための、前記ＵＥによってサポートされる前記少なくとも１つのキャリア帯域幅組合せを示すシグナリングを送るための手段と
を備える、ワイヤレス通信のための装置。
［Ｃ２４］  前記シグナリングが、前記複数のキャリアのための複数の利用可能なキャリア帯域幅組合せのための複数のビットのビットマップを備える、Ｃ２３に記載の装置。
［Ｃ２５］  前記ビットマップの各ビットが、前記複数のキャリアのための異なるキャリア帯域幅組合せに関連する、Ｃ２４に記載の装置。
［Ｃ２６］  前記ＵＥによってサポートされる少なくとも１つの帯域を示す追加のシグナリングを送るための手段であって、前記複数のキャリアが前記少なくとも１つの帯域中にある、送るための手段
をさらに備える、Ｃ２３に記載の装置。
［Ｃ２７］  前記複数のキャリアのための、前記ＵＥによってサポートされる前記少なくとも１つのキャリア帯域幅組合せから選択されたキャリア帯域幅組合せを判断するための手段と、
前記選択されたキャリア帯域幅組合せに基づいて前記複数のキャリア上で通信するための手段と
をさらに備える、Ｃ２３に記載の装置。
［Ｃ２８］  キャリアアグリゲーションのための、ユーザ機器（ＵＥ）のために構成された複数のキャリアを識別することを少なくとも１つのプロセッサに行わせるためのコードと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することを前記少なくとも１つのプロセッサに行わせるためのコードと、
前記複数のキャリアのための、前記ＵＥによってサポートされる前記少なくとも１つのキャリア帯域幅組合せを示すシグナリングを送ることを前記少なくとも１つのプロセッサに行わせるためのコードと
を備える非一時的コンピュータ可読媒体
を備える、コンピュータプログラム製品。
［Ｃ２９］  キャリアアグリゲーションのための、ユーザ機器（ＵＥ）のために構成された複数のキャリアを識別することと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することと、
前記ＵＥによってサポートされる前記少なくとも１つのキャリア帯域幅組合せから選択されたキャリア帯域幅組合せに基づいて前記複数のキャリア上で前記ＵＥと通信することと
を備える、ワイヤレス通信のための方法。
［Ｃ３０］  前記シグナリングが、前記複数のキャリアのための複数の利用可能なキャリア帯域幅組合せのための複数のビットのビットマップを備える、Ｃ２９に記載の方法。
［Ｃ３１］  前記シグナリングが、前記複数のキャリアのための、前記ＵＥによってサポートされる前記少なくとも１つのキャリア帯域幅組合せの各々のインデックスを備える、Ｃ３０に記載の方法。
［Ｃ３２］  前記シグナリングが、前記複数のキャリアのためにあらかじめ定義されたキャリア帯域幅組合せの複数のセットのうちの１つを示し、キャリア帯域幅組合せの各セットが、前記複数のキャリアのための少なくとも１つのキャリア帯域幅組合せを含む、Ｃ２９に記載の方法。
［Ｃ３３］  前記シグナリングが、前記複数のキャリアのための、前記ＵＥによってサポートされる総帯域幅を示す、Ｃ２９に記載の方法。
［Ｃ３４］  前記シグナリングが、前記複数のキャリアの各々のための、または前記複数のキャリアを備える少なくとも１つの帯域の各々のための、前記ＵＥによってサポートされる最大帯域幅を示す、Ｃ２９に記載の方法。
［Ｃ３５］  前記ＵＥから、前記ＵＥによってサポートされる少なくとも１つの帯域を示す追加のシグナリングを受信することであって、前記複数のキャリアが前記少なくとも１つの帯域中にある、受信すること
をさらに備える、Ｃ２９に記載の方法。
［Ｃ３６］  キャリアアグリゲーションのための、ユーザ機器（ＵＥ）のために構成された複数のキャリアを識別することと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することと、
前記ＵＥによってサポートされる前記少なくとも１つのキャリア帯域幅組合せから選択されたキャリア帯域幅組合せに基づいて前記複数のキャリア上で前記ＵＥと通信することと
を行うように構成された少なくとも１つのプロセッサと、
前記少なくとも１つのプロセッサに結合されたメモリと
を備える、ワイヤレス通信のための装置。
［Ｃ３７］  前記シグナリングが、前記複数のキャリアのための複数の利用可能なキャリア帯域幅組合せのための複数のビットのビットマップを備える、Ｃ３６に記載の装置。
［Ｃ３８］  前記ビットマップの各ビットが、前記複数のキャリアのための異なるキャリア帯域幅組合せに関連する、Ｃ３７に記載の装置。
［Ｃ３９］  前記少なくとも１つのプロセッサが、前記ＵＥから、前記ＵＥによってサポートされる少なくとも１つの帯域を示す追加のシグナリングを受信するように構成され、前記複数のキャリアが前記少なくとも１つの帯域中にある、Ｃ３６に記載の装置。
［Ｃ４０］  キャリアアグリゲーションのための、ユーザ機器（ＵＥ）のために構成された複数のキャリアを識別するための手段と、
前記ＵＥから、前記複数のキャリアのための、前記ＵＥによってサポートされる少なくとも１つのキャリア帯域幅組合せを示すシグナリングを受信するための手段であって、各キャリア帯域幅組合せが前記複数のキャリアの各々のための特定のキャリア帯域幅を含む、受信するための手段と、
前記ＵＥによってサポートされる前記少なくとも１つのキャリア帯域幅組合せから選択されたキャリア帯域幅組合せに基づいて前記複数のキャリア上で前記ＵＥと通信するための手段と
を備える、ワイヤレス通信のための装置。
［Ｃ４１］  前記ＵＥから、前記ＵＥによってサポートされる少なくとも１つの帯域を示す追加のシグナリングを受信するための手段であって、前記複数のキャリアが前記少なくとも１つの帯域中にある、受信するための手段
をさらに備える、Ｃ４０に記載の装置。
［Ｃ４２］  前記シグナリングが、前記複数のキャリアのための複数の利用可能なキャリア帯域幅組合せのための複数のビットのビットマップを備える、Ｃ４０に記載の装置。
［Ｃ４３］  前記ビットマップの各ビットが、前記複数のキャリアのための異なるキャリア帯域幅組合せに関連する、Ｃ４２に記載の装置。
［Ｃ４４］  キャリアアグリゲーションのための、ユーザ機器（ＵＥ）のために構成された複数のキャリアを識別することを少なくとも１つのプロセッサに行わせるためのコードと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することを前記少なくとも１つのプロセッサに行わせるためのコードと、
前記ＵＥによってサポートされる前記少なくとも１つのキャリア帯域幅組合せから選択されたキャリア帯域幅組合せに基づいて前記複数のキャリア上で前記ＵＥと通信することを前記少なくとも１つのプロセッサに行わせるためのコードと
を備える非一時的コンピュータ可読媒体
を備える、コンピュータプログラム製品。